(57)【要約】【課題】  本発明は、隔壁の均一性を向上することができるプラズマディスプレイパネル及びその製造方法を提供する。【解決手段】  本発明によるプラズマディスプレイパネルは、互いに対向配置される第１基板及び第２基板と、第１基板に一方向に沿って並行になるように形成されるアドレス電極と、第１基板と第２基板との間の空間に複数の放電セルを区画する隔壁と、放電セル内に形成される蛍光体層と、第２基板にアドレス電極と交差する方向に沿って形成される表示電極とを含み、隔壁は、第１基板と第２基板とに設定される非表示領域内に配置されるダミー隔壁を含み、ダミー隔壁は、２.４（％）≦（ｈ/ｌ）×１００≦６.０（％）の条件を満足する。ここで、ｌは、ダミー隔壁のアドレス電極と平行な方向の長さであり、ｈは、隔壁の前記第1基板の厚さ方向の長さ、即ち隔壁の高さである。【選択図】    図４
2006093126.tif 000002
【特許請求の範囲】
【請求項１】
互いに対向配置される第１基板及び第２基板と、
前記第１基板に一方向に沿って並んで形成されるアドレス電極と、
前記第１基板と第２基板との間の空間で複数の放電セルを区画する隔壁と、
前記放電セル内に形成される蛍光体層と、
前記第２基板に前記アドレス電極と交差する方向に沿って形成される表示電極と、を含み、
前記隔壁は、前記第１基板と第２基板とに設定される非表示領域内に配置されるダミー隔壁を含み、前記ダミー隔壁は、２.４（％）≦（ｈ/ｌ）×１００≦６.０（％）の条件を満足するプラズマディスプレイパネル。
（ここで、ｌは、前記ダミー隔壁の前記アドレス電極と平行な方向の長さであり、ｈは、前記隔壁の前記第1基板の厚さ方向の長さ、即ち前記隔壁の高さである。）
【請求項２】
前記ダミー隔壁の前記アドレス電極と平行な方向の長さは、２乃至５ｍｍの範囲に属するように形成される、請求項１に記載のプラズマディスプレイパネル。
【請求項３】
前記隔壁は前記アドレス電極と平行な方向に沿って形成され、
前記各ダミー隔壁は表示領域内の隔壁に連結されて形成される、請求項１に記載のプラズマディスプレイパネル。
【請求項４】
対向する第１基板と第２基板との間で隔壁によって区画される放電セルと、前記各放電セルに対応するアドレス電極及び表示電極とを含むプラズマディスプレイパネルを製造する方法において、
前記第１基板に隔壁を形成する工程は、
隔壁用ペーストを用意する段階と、
前記第１基板上でディスペンサーが前記隔壁用ペーストを吐き出しながら移動し、前記隔壁形状の隆起部を形成する段階と、
前記隔壁形状の隆起部を乾燥及び焼成する段階と、
を含むプラズマディスプレイパネルの製造方法。
【請求項５】
前記隆起部を形成する段階は、
前記隔壁用ペーストの吐出初期に高さを漸進的に増加させて隆起部を形成する段階と、前記均一な高さを有する隆起部を形成する段階とを含む、請求項４に記載のプラズマディスプレイパネルの製造方法。
【請求項６】
前記隆起部を形成する段階で、
前記ディスペンサーには複数のノズルが一列に配置される、請求項４に記載のプラズマディスプレイパネルの製造方法。
【請求項７】
前記隆起部を形成する段階で、
前記アドレス電極の延長方向に沿って長く連なるように前記隆起部を形成する、請求項４に記載のプラズマディスプレイパネルの製造方法。
【請求項８】
前記隔壁用ペーストは、剪断速度が増加するほど粘度が減少する特性を有する、請求項４に記載のプラズマディスプレイパネルの製造方法。
【請求項９】
請求項４に記載の製造方法によって製造される前記隔壁を含むプラズマディスプレイパネル。
【発明の詳細な説明】
【技術分野】
【０００１】
本発明はプラズマディスプレイパネルに係り、特に、隔壁の均一性を向上させることができるプラズマディスプレイパネル及びその製造方法に関するものである。
【背景技術】
【０００２】
一般的に、プラズマディスプレイパネル（ＰＤＰ）は、気体放電により得られたプラズマから放射される真空紫外線が蛍光体を励起させることによって発生する可視光を利用して映像を実現するディスプレイ素子である。
【０００３】
このようなＰＤＰは、６０インチ以上の超大型画面を僅か１０ｃｍ以内の厚さに実現することができ、ＣＲＴのような自発光ディスプレイ素子であるので色再現力が優れており、視野角による歪曲現象がない特性を有する。
【０００４】
また、ＰＤＰは、ＬＣＤなどに比べて製造工法が単純であって生産性及び原価側面からも有利な点を有するので、次世代産業用平板ディスプレイ及び家庭用ＴＶディスプレイとして脚光を浴びている。
【０００５】
ＰＤＰの構造は１９７０年代から長い期間をかけて発展してきたが、現在、一般的に知られている構造は３電極面放電型構造である。３電極面放電型構造は、同一面上に位置した２個の電極を含んだ一つの基板と、これから所定の距離をおいて離隔し、アドレス電極を含んだ他の基板とからなり、両基板の間の空間には、複数の放電セルが隔壁によって区画される。
【０００６】
ＰＤＰの隔壁を形成するための工法としては、スクリーン印刷法やサンドブラスト法などがある。
【０００７】
スクリーン印刷法は、パターニングされたスクリーンを基板と所定の間隔を維持して基板上に置き、隔壁物質を圧着、転写させて所望のパターンで基板に印刷する工法である。しかし、このようなスクリーン印刷法は、ＰＤＰで要求される隔壁の高さを形成するためには数回の工程を経なければならない。
【０００８】
そして、サンドブラスト法は、隔壁用ペーストを塗布した後、研磨剤を噴射して所定の形状の隔壁を形成するものである。サンドブラスト法によって隔壁を形成するためには、隔壁用ペーストを前面に塗布して隔壁層を形成する段階、隔壁層上にレジストを積層する段階、レジストに露光及び現像を行ってレジストをパターニングする段階、研磨剤を噴射して隔壁形状が残るように隔壁用ペーストを除去する段階、レジストを除去する段階、及び隔壁形状の隔壁用ペーストを焼成する段階を経る。
【発明の開示】
【発明が解決しようとする課題】
【０００９】
前記のように従来の隔壁製造方法は、多くの段階の工程を経なければならないために製造工程が複雑になり、したがって生産性が低下する問題がある。
【００１０】
一方、ＰＤＰには表示領域と非表示領域が設定される。表示領域は実質的な表示が行われる領域であり、非表示領域は、ダミー領域及びＰＤＰ内部の電極と外部端子とを連結する端子領域などが配置される領域であって、実際の表示には寄与しない領域である。ダミー領域は、表示領域の外郭にダミーセルが配置される領域であって、表示領域内に形成された放電セルが均一な放電又は発光特性を有するように構造的に補助する役割を果たす。
【００１１】
ダミーセルを区画するダミー隔壁は、表示領域内で形成される隔壁を均一に形成すると同時に、ダミー領域面積の最適化が可能であるように設計することが要求される。
【００１２】
本発明の目的は、隔壁製造工程を単純化することができるプラズマディスプレイパネル及びその製造方法を提供することにある。
【００１３】
本発明の他の目的は、ダミー隔壁を最適に設計して、表示領域内で均一な隔壁を形成することができるプラズマディスプレイパネル及びその製造方法を提供することにある。
【課題を解決するための手段】
【００１４】
したがって、本発明のプラズマディスプレイパネルは、互いに対向配置される第１基板及び第２基板と、前記第１基板に一方向に沿って並行になるように形成されるアドレス電極と、前記第１基板と第２基板との間の空間に複数の放電セルを区画する隔壁と、前記放電セル内に形成される蛍光体層と、前記第２基板に前記アドレス電極と交差する方向に沿って形成される表示電極とを含み、前記隔壁は、前記第１基板と第２基板とに設定される非表示領域内に配置されるダミー隔壁を含み、前記ダミー隔壁は、２.４（％）≦（ｈ/ｌ）×１００≦６.０（％）の条件を満足する。
【００１５】
ここで、ｌは、前記ダミー隔壁の前記アドレス電極と平行な方向の長さであり、ｈは、前記隔壁の前記第1基板の厚さ方向の長さ、即ち前記隔壁の高さである。
【００１６】
前記ダミー隔壁の前記アドレス電極と平行な方向の長さは、２乃至５ｍｍの範囲に属するように形成されることができる。
【００１７】
前記隔壁及びダミー隔壁は、ディスペンサー法によって形成されることができる。
【００１８】
前記隔壁は、前記アドレス電極と平行な方向に沿って形成され、前記各ダミー隔壁は、表示領域内の隔壁に連結されて形成されることができる。
【００１９】
また、本発明によるプラズマディスプレイパネルの製造方法は、対向する第１基板と第２基板の間で隔壁によって区画される放電セルと、前記各放電セルに対応するアドレス電極及び表示電極とを含むプラズマディスプレイパネルを製造する方法であって、前記第１基板に隔壁を形成する工程は、隔壁用ペーストを用意する段階、前記第１基板上でディスペンサーが前記隔壁用ペーストを吐き出しながら移動し、前記隔壁形状の隆起部を形成する段階、及び前記隔壁形状の隆起部を乾燥及び焼成する段階を含む。
【００２０】
前記隆起部を形成する段階は、前記隔壁用ペーストの吐出初期に高さを漸進的に増加させて隆起部を形成する段階と、前記均一な高さを有する隆起部を形成する段階とを含む。
【００２１】
前記隆起部を形成する段階で、前記ディスペンサーには複数のノズルが一列に配置される。また、前記隆起部を形成する段階で、前記アドレス電極の延長方向に沿って長く連結されるように前記隆起部を形成することができる。
【００２２】
前記隔壁用ペーストは、剪断速度が増加するほど粘度が減少する特性を有する。
【００２３】
また、本発明によるプラズマディスプレイパネルは、前記製造方法によって製造された前記隔壁を含む。
【発明の効果】
【００２４】
本発明によるプラズマディスプレイパネルの製造方法は、隔壁を製造する方法としてディスペンサー法を導入することにより、従来の隔壁製造方法で発生する問題を解決することができる。
【００２５】
そして、本発明によるプラズマディスプレイパネルの製造方法によれば、隔壁の製造工程が単純化されるので工程時間を短縮することができる。したがって、プラズマディスプレイパネルの生産性及び量産性を向上させることができる。
【００２６】
本発明によるプラズマディスプレイパネルは、ダミー隔壁の長さに対する隔壁の高さを最適に設計して、表示領域で隔壁の高さを均一に形成しながら非表示領域の面積を最適化することができる効果がある。
【発明を実施するための最良の形態】
【００２７】
以下、添付した図面を参照して本発明の好ましい実施例を詳細に説明する。
【００２８】
図１は、本発明の一実施例によるプラズマディスプレイパネルの平面図である。
【００２９】
図１を参照すれば、本発明の実施例によるＰＤＰは、任意の大きさを有する第１基板１０（以下、‘背面基板’とする）と第２基板２０（以下、‘前面基板’とする）を、内部空間部が形成されるように所定の間隔をおいて実質的に平行になるように配置し、これらを一体化させて接合することによりＰＤＰの基本外形を構成している。
【００３０】
前記背面基板１０及び前面基板２０には、表示領域１００と、表示領域１００外側の非表示領域２００とが設定される。表示領域１００は、実質的に映像が実現される領域であって、表示領域１００上の内部空間部には放電セルが備えられて所定の表示が行われる。非表示領域２００は、ダミーセル及びダミーセルを区画する隔壁が位置するダミー領域、並びにＰＤＰ内部の電極と外部端子とを連結する端子領域などが集約的に配置されるが、実際の表示には寄与しない領域である。
【００３１】
図２は、本発明の一実施例によるプラズマディスプレイパネルを示した部分分解斜視図であり、図３は、本発明の一実施例によるプラズマディスプレイパネルの隔壁及びダミー隔壁の構造を概略的に示した平面図である。
【００３２】
これら図面を参照すれば、背面基板１０の内面（即ち、前面基板２０に対抗する面）には、一方向（図面のｙ軸方向）に沿ってアドレス電極１２が形成され、アドレス電極１２を覆いながら背面基板１０の内面全体に誘電層１４が形成される。アドレス電極１２は、隣接したもの同士で所定の間隔を維持しながら互いに平行になるように形成される。
【００３３】
背面基板１０と所定の間隔をおいて対向配置される前面基板２０の内面（即ち、背面基盤１０に対抗する面）には、アドレス電極１２と交差する方向（図面のｘ軸方向）に沿って表示電極２１、２２が形成される。表示電極２１、２２の各々は、アドレス電極１２と交差する方向に沿って長く連結されるバス電極２１ｂ、２２ｂと、バス電極２１ｂ、２２ｂから各放電セルの中心に向かって延びる拡大電極２１ａ、２２ａとを含む。この時、バス電極２１ｂ、２２ｂは、通電性確保のために金属電極からなることができ、拡大電極２１ａ、２２ａは、開口率確保のためにＩＴＯ（Indium Tin Oxide）電極のような透明電極からなることができる。
【００３４】
そして、前面基板２０の内面全体には、表示電極２１、２２を覆う誘電層２４とＭｇＯ保護膜２６とが順に形成される。ＭｇＯ保護膜２６は、プラズマ放電時に電離したイオンの衝突から誘電層を保護し、高い二次電子放出係数を有するので、放電効率を向上させる役割を果たす。
【００３５】
背面基板１０と前面基板２０との間の空間には、隔壁１６とダミー隔壁１７とが形成される。
【００３６】
表示領域１００には、アドレス電極１２と平行な方向（図面のｙ軸方向）に沿って長く連結されて隔壁１６が形成され、放電セル１８を区画する。放電セル１８内には、紫外線を吸収して可視光を放出する蛍光体層１９が隔壁と底面とに沿って形成され、プラズマ放電を起こすことができるように、放電ガス（例えば、キセノン（Ｘｅ）、ネオン（Ｎｅ）などを含む混合ガス）が満たされる。非表示領域２００には、各々の隔壁１６より連結されるダミー隔壁１７が形成される。
【００３７】
本実施例で、隔壁１６及びダミー隔壁１７はディスペンサー法で形成されることができる。
【００３８】
以下では、隔壁及びダミー隔壁をディスペンサー法（又は‘ノズル噴射法’という）によって製造する方法を説明する。
【００３９】
図４は、本発明の一実施例によるプラズマディスプレイパネルの隔壁を製造する方法を示した斜視図であり、図５は、隔壁用ペーストの剪断速度と粘度との関係を示したグラフである。ここで、剪断速度とは、隔壁用ペーストを一つの粘性流体とする場合に、該粘性流体がノズルを通じて流出される速度を意味する。
【００４０】
これら図面を参照してプラズマディスプレイパネルの隔壁を製造する方法を説明すれば、まず、隔壁用ペーストを用意する。隔壁用ペーストは、図５に示されているように剪断速度が増加するほど粘度が減少する特性を有することができる。
【００４１】
次に、ディスペンサー３０を利用して、形成しようとする隔壁の形状に隆起部を形成する。
【００４２】
隔壁用ペーストが充填されたディスペンサー３０を、アドレス電極１２と誘電層１４が形成された背面基板１０上部に位置させ、ディスペンサー３０のノズル３２を通して隔壁用ペーストを吐き出しながらディスペンサー３０を移送させて、誘電層１４の上に隔壁形状の隆起部１６０、１７０を形成する。ここで、隆起部１６０は、隔壁１６に対応し、隆起部１７０はダミー隔壁１７に対応する。
【００４３】
本実施例では、ディスペンサー３０に隔壁用ペーストを吐き出させる複数のノズル３２が一列に配置され、これらノズル３２は互いに所定の間隔をおいて離隔して形成される。このようなディスペンサー３０をアドレス電極１２と並行な方向（図面のｙ軸方向）に移動させて、電層１４上にアドレス電極１２と並行な方向（図面のｙ軸方向）に長く連結される隆起部１６０、１７０を形成する。
【００４４】
本実施例では、一例としてアドレス電極と平行な方向に沿って形成される帯状の隔壁及びダミー隔壁を製造する方法を説明したが、ノズルの配列形態及び移動パターンを別にして多様な形状の隔壁及びダミー隔壁を製造することができ、これも本発明の範囲に属するのは当然のことである。
【００４５】
図６の（ａ）及び（ｂ）を参照して隆起部を形成する段階をさらに詳細に説明する。図６の（ａ）は、隔壁用ペーストの吐出距離に対する隔壁用ペーストの吐出圧力を示したグラフであり、図６の（ｂ）は、隔壁用ペーストの吐出距離に対する隔壁形状の隆起部の高さを示したグラフである。ここで、吐出距離とは、ディスペンサー３０が吐出を開始した位置からディスペンサー３０が移動した距離であり、吐出圧力とは、ノズル３２が隔壁用ペーストを吐き出す際にノズル３２が隔壁用ペーストに掛ける圧力である。
【００４６】
これら図面を参照すれば、本実施例で隆起部を形成する段階は、吐出初期に隆起部の高さを漸進的に増加させて隆起部を形成する段階と、均一な高さを有する隆起部を形成する段階とを含む。
【００４７】
吐出初期に隆起部を形成する段階では、隆起部の高さを漸進的に増加させて隆起部を形成する。これは、図６の（ａ）及び（ｂ）に示されているように、ディスペンサー法の特性上、吐出開始地点から所定の距離（ｔ１）までは吐出圧力が漸進的に増加するからである。この段階では、このような隆起部１７０を非表示領域２００に位置するように形成する。
【００４８】
均一な高さを有する隆起部１６０を形成する段階では、図６の（ａ）及び（ｂ）に示されているように、所定の距離（ｔ１）以降には吐出圧力が一定に維持されるので、隆起部も均一な高さを有して形成される。この段階では、このような隆起部１６０を表示領域１００に位置するように形成する。
【００４９】
本実施例では、高さが漸進的に増加する隆起部１７０を非表示領域２００に形成するので、均一な高さを有する隆起部１６０を表示領域１００に形成することができる。つまり、吐出初期に隆起部を形成する段階では隆起部１７０の高さが漸進的に増加し、以降の段階では均一な高さの隆起部１６０が形成されるので、吐出初期に隆起部を形成する段階は、初期安定化の役割を果たす。
【００５０】
前述のように本発明で使用される隔壁用ペーストは、図５に示されているように、剪断速度が大きくなるほど粘度が低くなる特性を有する。隔壁用ペーストがディスペンサーのノズルを通して吐き出す場合には剪断速度が大きくなる。したがって、ノズルの吐出時には低い粘度を有するようになり、隆起部を所望の形状に形成することができる。そして、基板に隆起部が形成された後は剪断速度が低くなる。したがって、隆起部が形成された後には高い粘度を有するので、隆起部が所定の形状を維持することができる。
【００５１】
次に、表示領域１００内に位置する隆起部１６０と非表示領域２００内に位置する隆起部１７０を乾燥及び焼成して、各々隔壁１６とダミー隔壁１７を完成する。表示領域１００内に位置する隆起部１６０が均一な高さを有するので、隔壁１６も均一な高さを有しながら形成される。
【００５２】
前記のように隔壁１６が表示領域１００内で均一な高さで形成されるためには、ダミー隔壁１７の長さが最適化されなければならない。以下では、ダミー隔壁１７長さの最適範囲について説明する。
【００５３】
隔壁１６を均一な高さを有するように形成し、非表示領域２００の面積を最適化するために、隔壁１６とダミー隔壁１７は数式１の条件を満たすように形成されるのが好ましい。ここで、ｌは、ダミー隔壁１７のアドレス電極１２と平行な方向（図面のｙ軸方向）の長さであり、ｈは、隔壁１６の前記背面基板１０の厚さ方向（図面のｚ軸方向）の長さ、即ち隔壁１６の高さである。
【数１】
2006093126.tif 000003
【００５４】
前記（ｈ/ｌ）×１００値が６.０（％）を超えると、高さが均一でない隆起部が表示領域１００に位置して、隔壁１６が不均一に形成される問題がある。そして、前記（ｈ/ｌ）×１００値が２.４（％）未満であると、ダミー隔壁があまりにも長くなり、実質的に表示に寄与しない非表示領域２００の面積が増加する問題がある。この時、ｌは、ＰＤＰのｈを考慮して２.００〜５.００ｍｍの範囲に属するように形成されることができる。
【００５５】
本発明によるＰＤＰは、ダミー隔壁の長さｌに対する隔壁の高さｈの長さを最適に設計することによって、非表示領域の面積を最適化しながら表示領域に位置した隔壁を均一な高さに形成することができる。
【００５６】
以下、実験例によって本発明をさらに詳細に説明する。このような実験例は単に本発明を例示するためのものであり、本発明がこれに限られるわけではない。
【００５７】
実験例
本実験例では、吐出距離ａと、吐出距離ａの地点でディスペンサー法により形成された隔壁の高さｂとの関係を測定し、この結果を表１に示した。実験例で表示領域内に形成されるという限定がない場合、隔壁という用語は、表示領域内に位置する隔壁と非表示領域内に位置するダミー隔壁とを含む広義の隔壁を意味する。
【００５８】
実験では、表示領域内に形成しようとする隔壁の高さ（つまり、ＰＤＰの厚さ方向に測定された隔壁の長さ）ｈを１２０μｍに設定した。
【表１】
2006093126.tif 000004
【００５９】
前記表１を参照すれば、ａが２.００ｍｍ未満である位置では、形成しようとする隔壁の高さより低い高さを有する隔壁が形成され、隔壁の高さもまた一定でないことが分かる。したがって、ダミー隔壁のｙ軸方向の長さを２.００ｍｍ以上にすればこそ表示領域内での隔壁の高さを均一に形成することができる。
【００６０】
そして、非表示領域の領域の面積を最適化するために、ダミー隔壁のｙ軸方向の長さは５.００ｍｍ以下に形成されるのが好ましい。
【００６１】
つまり、ダミー隔壁のｙ軸方向の長さは２.００〜５.００ｍｍの範囲で形成されるのが好ましい。本実験例では表示領域内に位置する隔壁の高さｈが１２０μｍであるので、このような結果は、２.４≦（ｈ/ｌ）×１００≦６.０の範囲に属する場合に均一な高さを有する隔壁を形成することができることを示す。
【００６２】
以上、本発明の好ましい実験例について説明したが、本発明はこれに限定されるものではなく、特許請求の範囲と発明の詳細な説明及び添付した図面の範囲内で多様に変形して実施するのが可能であり、これもまた本発明の範囲に属する。
【図面の簡単な説明】
【００６３】
【図１】本発明の一実施例によるプラズマディスプレイパネルの平面図である。
【図２】本発明の一実施例によるプラズマディスプレイパネルを示した部分分解斜視図である。
【図３】本発明の一実施例によるプラズマディスプレイパネルの隔壁及びダミー隔壁の構造を概略的に示した平面図である。
【図４】本発明の一実施例によるプラズマディスプレイパネルの隔壁を製造する方法を示した斜視図である。
【図５】隔壁用ペーストの剪断速度と粘度との関係を示したグラフである。
【図６】（ａ）は、隔壁用ペーストの吐出距離に対する隔壁用ペーストの吐出圧力を示したグラフであり、（ｂ）は、隔壁用ペーストの吐出距離に対する隔壁形状の隆起部の高さを示したグラフである。
【符号の説明】
【００６４】
１０  第１基板（背面基板）
１２  アドレス電極
１４、２４  誘電層
１６  隔壁
１７  ダミー隔壁
１８  放電セル
１９  蛍光体層
２０  第２基板（前面基板）
２１、２２  表示電極
２１ａ、２２ａ  拡大電極
２１ｂ、２２ｂ  バス電極
２６  ＭｇＯ保護膜
３０  ディスペンサー
３２  ディスペンサーのノズル
１００  表示領域
１６０、１７０  隆起部
２００  非表示領域
【図１】
2006093126.tif 000005
【図２】
2006093126.tif 000006
【図３】
2006093126.tif 000007
【図４】
2006093126.tif 000008
【図５】
2006093126.tif 000009
【図６】
2006093126.tif 000010